(57)【要約】【課題】第１仕切板と第２仕切板とによる区画形状を部分的に変更することができるだけでなく、折り畳み容易であり、しかも、構造簡単で仕切板同士が外れ難く確実に仕切り形状を維持することができる仕切体を提供する。【解決手段】第２仕切板３を複数の仕切小片９により構成する。第１仕切板２の第２仕切板３との交差位置に挿通穴５を設ける。第１仕切板２を介して互いに隣う仕切小片９のうち、一方の仕切小片９に第１仕切板２の一方の挿通穴５に挿通する挿通片１０を設け、他方の仕切小片９に第１仕切板２の他方の挿通穴５に挿通する挿通片１０を設ける。一方の仕切小片９に、他方の仕切小片９の挿通片１０に対応する凹部１１を設け、他方の仕切小片９に、一方の仕切小片９の挿通片１０に対応する凹部１１を設ける。挿通穴５に凸部６を設け、挿通片１０に凸部６を係止する係止穴１２を設ける。【選択図】図５
2008207813.tif 000002
【特許請求の範囲】
【請求項１】
起立する第１仕切板と、該第１仕切板に交差して起立する第２仕切板とを備える仕切体において、
前記第２仕切板は、前記第１仕切板を介して互いに着脱自在に連接する複数の仕切小片により構成され、
前記第１仕切板は、前記第２仕切板との交差位置に上下方向に配設され且つ上下方向に延びる少なくとも一対の挿通穴を備え、
前記第１仕切板を介して互いに隣う前記仕切小片のうち、一方の仕切小片は、前記第１仕切板の一方の挿通穴に挿通する挿通片を備え、他方の仕切小片は、前記第１仕切板の他方の挿通穴に挿通する挿通片を備え、
一方の仕切小片は、前記第１仕切板の他方の挿通穴に挿通された他方の仕切小片の挿通片に対応する凹部を備え、他方の仕切小片は、前記第１仕切板の一方の挿通穴に挿通された一方の仕切小片の挿通片に対応する凹部を備え、
前記第１仕切板の各挿通穴は、各仕切小片の挿通片の挿通方向に直交する方向に突出する凸部を備え、
前記仕切小片の挿通片は、第１仕切板の挿通穴に挿通したとき、該挿通穴の凸部が挿入して係止する係止穴を備えることを特徴とする仕切体。
【発明の詳細な説明】
【技術分野】
【０００１】
本発明は、第１仕切板と第２仕切板とが起立状態で交差して格子状に組み立てられる仕切体に関する。
【背景技術】
【０００２】
従来、複数の縦仕切板（第１仕切板）と複数の横仕切板（第２仕切板）とが共に起立した状態で互いに交差するように組み立てられ、それらの複数の縦仕切板と複数の横仕切板とによって包装容器等の内部を複数に区画する仕切体が知られている（例えば、特許文献１参照）。
【０００３】
この種の仕切体は、縦仕切板に形成された複数の切欠部と横仕切板に形成された切欠部とを互いに係合させることにより、縦仕切板と横仕切板との係合状態が確実に維持されるように組み立てられている。
【０００４】
ところで、この種の仕切体は、所定の間隔で配設された各縦仕切板と所定の間隔で配設された各横仕切板とが互いに係合し合って形成されていることにより、各縦仕切板と各横仕切板とによって同じ形状に区画された複数の収容部に複数の被包装物が個別に収容される。
【０００５】
しかし、各縦仕切板と各横仕切板とによる区画形状は全て同一であるため、形状（大きさ）の異なる複数の被包装物をこの種の仕切体によって区画された包装容器内に混在させて収容することができない不都合があった。
【０００６】
そこで、本出願人は、先に、横仕切板（第２仕切板）を縦仕切板（第１仕切板）を介して互いに着脱自在に連接する複数の仕切小片により構成し、縦仕切板に一対のスリットを設け、更に、各仕切小片に、縦仕切板のスリットに挿入する挿入爪と、隣り合う他方の仕切小片の挿入爪に対応する凹部を設けた仕切体を提案した（特許文献２参照）。
【０００７】
これによれば、互いに隣り合う縦仕切板の間に位置する各仕切小片を単独で取り外すことが可能となり、区画形状を部分的に変更して形状（大きさ）の異なる複数の被包装物を混在させて収容することができる。
【０００８】
しかし、このものにおいては、仕切小片の挿入爪が縦仕切板のスリットに挿通しているだけでは仕切小片同士の係合状態が不十分であるため、仕切小片と縦仕切板との不用意な分離を避けるために各仕切小片の上端又は下端に縦仕切板の上縁又は下縁に掛止させるための掛止爪が必要となって形状が複雑化していた。
【特許文献１】実開平５−１０４１２５号公報（図１、図２）
【特許文献２】特開２００６−１６０２９２号公報
【発明の開示】
【発明が解決しようとする課題】
【０００９】
かかる不都合を解消して、本発明は、第１仕切板と第２仕切板とによる区画形状を部分的に変更することができるだけでなく、折り畳み容易であり、しかも、構造簡単で仕切板同士が外れ難く確実に仕切り形状を維持することができる仕切体を提供することを目的とする。
【課題を解決するための手段】
【００１０】
かかる目的を達成するために、本発明は、起立する第１仕切板と、該第１仕切板に交差して起立する第２仕切板とを備える仕切体において、前記第２仕切板は、前記第１仕切板を介して互いに着脱自在に連接する複数の仕切小片により構成され、前記第１仕切板は、前記第２仕切板との交差位置に上下方向に配設され且つ上下方向に延びる少なくとも一対の挿通穴を備え、前記第１仕切板を介して互いに隣う前記仕切小片のうち、一方の仕切小片は、前記第１仕切板の一方の挿通穴に挿通する挿通片を備え、他方の仕切小片は、前記第１仕切板の他方の挿通穴に挿通する挿通片を備え、一方の仕切小片は、前記第１仕切板の他方の挿通穴に挿通された他方の仕切小片の挿通片に対応する凹部を備え、他方の仕切小片は、前記第１仕切板の一方の挿通穴に挿通された一方の仕切小片の挿通片に対応する凹部を備え、前記第１仕切板の各挿通穴は、各仕切小片の挿通片の挿通方向に直交する方向に突出する凸部を備え、前記仕切小片の挿通片は、第１仕切板の挿通穴に挿通したとき、該挿通穴の凸部が挿入して係止する係止穴を備えることを特徴とする。
【００１１】
本発明によれば、前記第２仕切板を前記第１仕切板を介して互いに着脱自在に連接する複数の仕切小片により構成したことにより、互いに隣り合う第１仕切板の間に位置する各仕切小片を単独で取り外すことができる。これによって、区画形状を部分的に変更することができ、形状（大きさ）の異なる複数の被包装物を混在させて収容することができる。
【００１２】
更に、第１仕切板を介して互いに連結された両仕切小片は、挿通片同士が互いに干渉することなく第１仕切板の一対の挿通穴に個別に挿入された状態とされ、しかも、夫々の挿通片に対応する凹部に収容されるので、前記第２仕切板と前記第１仕切板とが互いに直行するように組み付けて仕切体を形成すれば、該仕切体を対角線方向に容易に折り畳むことができる。
【００１３】
また、第１仕切板の挿通穴に設けられた凸部が各仕切小片に設けられた係止穴に係止されるので、挿通片は確実に挿通穴に挿通された状態を維持する。これにより、各仕切小片と第１仕切板とを強固に連結することができ、各仕切小片の不用意な外れを確実に防止することができる。しかも、従来のように、第１仕切板の上縁や下縁に係止する爪等を各仕切小片に設けることが不要であるので、構造が簡単となって安価に製造することができる。
【発明を実施するための最良の形態】
【００１４】
本発明の一実施形態を図面に基づいて説明する。図１は実施形態の仕切体の説明的平面図、図２は第１仕切板である縦仕切板の形状を示す説明図、図３は縦枠板の形状を示す説明図、図４は第２仕切板である横仕切板の構成を示す説明図、図５は仕切小片と第１仕切板との組み付け状態を部分的に示す説明図、図６は仕切小片と縦枠板との組み付け状態を部分的に示す説明図、図７は一部の仕切小片を取り外した仕切体の説明的平面図、図８は仕切体の折り畳み状態を示す説明的平面図である。
【００１５】
本実施形態の仕切体１は、図１に示すように、薄板材（合成樹脂製又は紙製）からなる縦仕切板２（第１仕切板）と、複数の横仕切板３（第２仕切板）とが起立した状態で互いに交差して組み立てられている。縦仕切板２は一対の縦枠板４の間に設けられ、各横仕切板３は所定間隔を存して配設されている。
【００１６】
図２に示すように、前記縦仕切板２は、前記横仕切板３との交差位置に対応して複数の挿通穴５を備えている。各挿通穴５は互いに所定間隔を存して上下方向に並んで形成されている。また、各挿通穴５には、その中央部の側縁から他方に水平方向に延びる凸部６が形成されている。該凸部６は、挿通穴５を縦長のスリット状に形成する際に横方向にコ字形に縦仕切板２に切れ目を入れることにより形成されている。
【００１７】
前記縦枠板４は、図３に示すように、上下一対の端部挿通穴７が複数（横仕切板３に対応する数）並列して備え、各端部挿通穴７にはその中央部の側縁から他方に水平方向に延びる凸部８が形成されている。
【００１８】
図４に示すように、前記横仕切板３は、複数（本実施形態においては一対）の仕切小片９により形成されている。互いに隣り合う仕切小片９は、前記縦仕切板２に接する側の端縁に複数（本実施形態においては一対）の挿通片１０が所定間隔を存して形成されている。互いに隣り合う仕切小片９の挿通片１０は互い違いに突出し、夫々の仕切小片９の挿通片１０に対応する位置には挿通片１０を受け入れる複数（本実施形態においては一対）の凹部１１が形成されている。更に、各挿通片１０には、前記縦仕切板２の挿通穴５に形成されている凸部６が挿通して係止されるスリット状の係止穴１２が形成されている。
【００１９】
また、仕切小片９の縦枠板４に接する側の端縁には、一対の端部挿通片１３が所定間隔を存して形成されている。更に、各端部挿通片１３には、前記縦仕切板２の端部挿通穴７に形成されている凸部８が挿通して係止されるスリット状の係止穴１４が形成されている。
【００２０】
そして、互いに隣り合う仕切小片９同士は、一方の仕切小片９の挿通片１０が他方の仕切小片９の凹部１１に合致し、他方の仕切小片９の挿通片１０が一方の仕切小片９の凹部１１に合致して一枚の横仕切板３を構成する。
【００２１】
そして、図５に示すように、各仕切小片９の挿通片１０が縦仕切板２の挿通穴５に挿通され、同時に、挿通穴５の凸部６が挿通片１０の挿通方向に直交して係止穴１２に挿通係止されて強固に連結される。同様にして、図６に示すように、各仕切小片９の端部挿通片１３が縦枠板４の端部挿通穴７に挿通され、同時に、端部挿通穴７の凸部８が端部挿通片１３の係止穴１４に挿通係止されて強固に連結される。
【００２２】
なお、本実施形態においては、縦枠板４の端部挿通穴７の大きさが縦仕切板２の挿通穴５より大きく形成されており、仕切小片９の端部挿通片１３もそれに合わせて挿通片１０より大きく形成されているが、端部挿通穴７の大きさは縦仕切板２の挿通穴５と同じでもよく、その場合には、仕切小片９の端部挿通片１３を挿通片１０と同じ大きさに形成すればよい。
【００２３】
このようにして形成されている本実施形態の仕切体１は、横仕切板３が複数の仕切小片９を連結して形成されているので、仕切小片９の何れかを取り外した状態で仕切体１を構成することもできる。これによって、例えば、図７に示すように、所望の位置の仕切小片を所望の数だけ取り外し、形状（大きさ）の異なる被収容物を混在させて収容することができる。
【００２４】
また、本実施形態の仕切体１によれば、各仕切小片９の各挿通片１０が縦仕切板２の各挿通穴５に互い違いに挿入されているので、図８に示すように、両縦枠板４を近接させるようにしてコンパクトに畳むことができ、未使用時の保管スペースを小とすることができる。
【００２５】
なお、本実施形態においては、一対の縦枠板４の間に１つの縦仕切板２を設け、３つの横仕切板３を組み付けて構成された仕切体１を図示して説明したが、縦仕切板２及び横仕切板３の数はこれに限るものではなく、また、縦仕切板２の数に応じて横仕切板３を構成する仕切小片９を増加させることが可能である。なお、その場合に、図９に示すように、両側に挿通片１０と凹部１１を備える他の仕切小片１５を、前述の一対の仕切小片９の間に設けるようにすることで容易に対応することができる。
【００２６】
また、本実施形態においては、横仕切板３を複数の仕切小片９により構成して各仕切小片９の挿通片１０と縦仕切板２の挿通穴５との強固な係合が行えるものを示したが、例えば図示しないが、縦仕切板２の一部に挿通片１０を設け、横仕切板３の一部に縦仕切板２の挿通片１０を挿通させる挿通穴５を設けることもでき、これによって縦仕切板２を縦方向に複数連結して仕切り数の増加を図ることも可能である。
【図面の簡単な説明】
【００２７】
【図１】本発明の実施形態の仕切体の説明的平面図。
【図２】第１仕切板である縦仕切板の形状を示す説明図。
【図３】縦枠板の形状を示す説明図。
【図４】第２仕切板である横仕切板の構成を示す説明図。
【図５】仕切小片と縦仕切板との組み付け状態を部分的に示す説明図。
【図６】仕切小片と縦枠板との組み付け状態を部分的に示す説明図。
【図７】一部の仕切小片を取り外した仕切体の説明的平面図。
【図８】仕切体の折り畳み状態を示す説明的平面図。
【図９】他の仕切小片を示す説明図。
【符号の説明】
【００２８】
１…仕切体、２…縦仕切板（第１仕切板）、３…横仕切板（第２仕切板）、５…挿通穴、６…凸部、９…仕切小片、１０…挿通片、１１…凹部、１２…係止穴。
【図１】
2008207813.tif 000003
【図２】
2008207813.tif 000004
【図３】
2008207813.tif 000005
【図４】
2008207813.tif 000006
【図５】
2008207813.tif 000007
【図６】
2008207813.tif 000008
【図７】
2008207813.tif 000009
【図８】
2008207813.tif 000010
【図９】
2008207813.tif 000011